(57)【要約】【課題】従来、裏に蟻溝を備えた残存コンクリート枠が知られている。しかし、蟻溝には生コンクリートが流れ込みにくく、接着長さが不足し、コンクリート塊とコンクリート枠との接着強度がやや低くなる。【解決手段】コンクリート枠の裏にＴ字溝２０を備える。そして、Ｔ字溝２０は、頭部２１とこの頭部２１の中心から延ばした首部２２とかなり、この首部２２は頭部２１に向かって先細りとなるように一対の傾斜面２３、２４で構成したことを特徴とする。【効果】首部が頭部に向かって先細になる形状であれば、生コンクリートは首部を構成する傾斜面に空気層を介することなく密着する。頭部の隅には空気層が残るものの、頭部のほとんど、及び首部の全てにコンクリートが接着する。その結果、接着長さが十分に大きくなり、コンクリート枠とコンクリート塊との接着力を高めることができる。【選択図】        図２
2004308335.tif 000002
【特許請求の範囲】
【請求項１】
コンクリート枠の裏にＴ字溝を形成し、このＴ字溝にアンカー金物を連結することで、生コンクリート打ちに耐えるようにコンクリート枠を支える共に、生コンクリートが凝固した後も残存させる残存コンクリート枠において、
前記Ｔ字溝を、頭部とこの頭部の中心から延ばした首部とから構成するときに、前記首部は頭部に向かって先細りとなるように一対の傾斜面で構成したことを特徴とする残存コンクリート枠。
【発明の詳細な説明】
【０００１】
【発明の属する技術分野】
本発明は残存コンクリート型枠に関する。
【０００２】
【従来の技術】
コンクリート打ちに先立ってコンクリート型枠を立てることは周知である。
また、コンクリート型枠には、コンクリートが凝固し、養生した後に撤去する仮設コンクリート枠と、凝固したコンクリートと共に残す残存コンクリート枠とがある。
【０００３】
残存コンクリート枠は、コンクリート塊の外周部材となるため、枠外表面の外観性が重要となる。
一方、コンクリート枠にはコンクリート打ちの際に生コンクリートによる水平力が作用するため、アンカー金物などを取付ける必要がある。アンカーボルトをコンクリート枠に取付けるボルトなどがコンクリート枠の外面に露出することは見栄えの点で好ましくない。ボルトなどが外面に露出しないようにすることが望ましい。
そのような発明として、従来、裏に蟻溝（ありみぞ）を備えた残存コンクリート枠が提案されている（例えば、特許文献１。）。
【０００４】
【特許文献１】
特開平５−９８６８７号公報（図６）
【０００５】
図１４は特許文献１の図６（下半部）の再掲図であり、要素名や符号は新規に定めた。コンクリート枠１００は裏に蟻溝１０１・・・（・・・は複数個を示す。以下同じ）を備え、これらの蟻溝１０１・・・に生コンクリート１０２が進入して、生コンクリート１０２が凝固した後にはコンクリート塊（１０３）にコンクリート枠１００が相対的に噛合う。この結果、コンクリート塊（１０３）とコンクリート枠１００との結合強度が高まり、コンクリート枠１００の脱落を防止することができるというものである。
【０００６】
図１５は従来のコンクリート枠に採用された蟻溝の拡大断面図であり、蟻溝１０１は、鳩の尾（ダブ・テイル）とも呼ばれ、入口１０４と、この入口１０４より十分に広幅の溝底面１０５と、この溝底面１０５から入口１０４に延ばした一対の傾斜面１０６、１０７と、からなる。傾斜面１０６、溝底面１０５、傾斜面１０７の長さを、各々Ｌ１、Ｌ２、Ｌ３とする。
【０００７】
【発明が解決しようとする課題】
図１６（ａ）、（ｂ）は従来の蟻溝の課題を説明する図である。
（ａ）はコンクリート打ちの初期段階の説明図であり、生コンクリート１０２は先ず、入口１０４の幅で蟻溝１０１内に進入する。溝底面１０５に達したコンクリート部１０８の図上下には空気層１０９、１０９が残る。
【０００８】
（ｂ）はコンクリート打ちの最終段階の説明図であり、コンクリート部１０８は溝底面１０５に沿って広がり、傾斜面１０６、１０７に向かう。しかし、圧縮された空気層１１１、１１１が残るため、傾斜面１０６、１０７にコンクリート部１０８は十分に接触しない。これでも、凝固後にコンクリート部１０８は入口１０４より広いため、抜け止め作用は期待できる。
【０００９】
一方、コンクリートの接着性能を考えた場合、接着力は接着長さに比例する。（ｂ）における溝底面１０５に対する接着長さをＬ４とする。図１５の長さ（Ｌ１＋Ｌ２＋Ｌ３）と比較すると、Ｌ４は（Ｌ１＋Ｌ２＋Ｌ３）の５０％程度となる。すなわち、理想的な接着長さ（Ｌ１＋Ｌ２＋Ｌ３）の約半分の接着長さ（Ｌ４）が従来の蟻溝の接着長さとなり、接着性能の点では課題が残る。
【００１０】
【課題を解決するための手段】
上記課題を解決するために請求項１は、コンクリート枠の裏にＴ字溝を形成し、このＴ字溝にアンカー金物を連結することで、生コンクリート打ちに耐えるようにコンクリート枠を支える共に、生コンクリートが凝固した後も残存させる残存コンクリート枠において、Ｔ字溝を、頭部とこの頭部の中心から延ばした首部とから構成するときに、首部は頭部に向かって先細りとなるように一対の傾斜面で構成したことを特徴とする。
【００１１】
首部が頭部に向かって先細になる形状であれば、生コンクリートは首部を構成する傾斜面に空気層を介することなく密着する。頭部の隅には空気層が残るものの、頭部のほとんど、及び首部の全てにコンクリートが接着する。その結果、接着長さが十分に大きくなり、コンクリート枠とコンクリート塊との接着力を高めることができる。
【００１２】
【発明の実施の形態】
本発明の実施の形態を添付図に基づいて以下に説明する。
図１は本発明に係るコンクリート枠の断面図であり、コンクリート枠１０は、押し出し成形により得たコンクリート製パネル１１のおもて面を平滑面とし、裏に２条のＴ字溝２０、２０と末広がり断面（鳩の尾状）の低い突起１３、１３、１３を一体形成してなる。
【００１３】
図２は本発明に係るＴ字溝の拡大断面図であり、Ｔ字溝２０は、頭部２１とこの頭部２１の中心から延ばした首部２２とかなり、この首部２２は頭部２１に向かって先細りとなるように一対の傾斜面２３、２４で構成したことを特徴とする。
【００１４】
傾斜面２３、２４の傾斜角θは、０°より大きければよいが、θが大きすぎるとコンクリートがはがれやすくなるため、３０°までとすることが望ましい。
はがれ防止を重視したときには、傾斜角θは５°以下であることが、より望ましい。
【００１５】
そして、傾斜面２３の長さをＬ６、溝底面２５の長さをＬ７、傾斜面２４の長さをＬ８とする。
【００１６】
図３（ａ）、（ｂ）は本発明に係るＴ字溝の作用説明図である。
（ａ）はコンクリート打ちの初期段階の説明図であり、生コンクリート２７は傾斜面２３、２４に沿って溝底面２５に達する。溝底面２５の図上下には空気層２８、２８が残る。
【００１７】
（ｂ）はコンクリート打ちの最終段階の説明図であり、生コンクリート２７は溝底面２５に沿って広がるが、圧縮された空気層２９、２９は不可避的に残留する。溝底面２５の長さＬ７から空気層２９、２９を差引いた長さＬ９が、溝底面２５におけるコンクリートの接着長さとなる。
【００１８】
一対の傾斜面２３、２４は先細りであるため、生コンクリート２７は強く傾斜面２３、２４に接触し、空気層が介在することはない。従って、有効接着長さは、（Ｌ６＋Ｌ９＋Ｌ８）となる。これを、理想的な接着長さ（Ｌ６＋Ｌ７＋Ｌ８）（図２参照）と比較すると、有効接着長さ（Ｌ６＋Ｌ９＋Ｌ８）は、理想的な接着長さ（Ｌ６＋Ｌ７＋Ｌ８）の約９０％に相当する。
従来が約５０％であったが、本発明ではその約２倍の接着性能を得ることがでる。
【００１９】
図４は本発明のコンクリート枠同士を連結する枠連結機構の分解斜視図であり、枠連結機構３０は、Ｔ字溝２０に差込むフランジ３１、３１を備えた、いわゆるハット型の摺動金具３２と、２個の摺動金具３２、３２に掛け渡すブリッジ金具３３と、このブリッジ金具３３を摺動金具３２、３２に固定するボルト３４、３４と、ブリッジ金具３３から立てるボルト３５とからなる。
【００２０】
なお、摺動金具３２はＴ字溝２０に沿って移動、すなわち摺動させることができるため摺動金具と呼ぶ。
【００２１】
また、ブリッジ金具３３は、矩形鋼板に切込みを入れて中央を張出し成形することで、平板部３３ａに山形部３３ｂを形成し、また、矩形鋼板の長辺両側に切り起し部３３ｃ、３３ｃを形成してなるプレス成形品である。
山形部３３ｂの下は窓部３３ｄとなり、この窓部３３ｄを通じてボルト３５を山形部３３ｂに取付け、図示せぬボルトの頭を山形部３３ｂの裏に溶接し固定することができる（図７も参照）。
【００２２】
左右の切り起し部３３ｃ、３３ｃは平板部３３ａの断面係数を飛躍的に増加させる。そのため、１枚の薄い矩形鋼板から塑性変形法により製造したブリッジ金具３３は、軽量の割に剛性に富み、連結金具として好適である。
【００２３】
以上に述べたコンクリート枠１０、１０及び枠連結機構３０を用いて実施するコンクリート打ち工事の例を次に説明する。
図５は本発明に係るコンクリート打ちの説明図（その１）であり、既設のコンクリートベース３７上に、コンクリート壁を盛り上げ工事を例に説明すると、コンクリートベース３７に複数枚（本例では２枚）のコンクリート枠１０、１０を立て、倒れぬように木製支柱３８、３９で仮止めする。
【００２４】
図６は本発明に係るコンクリート打ちの説明図（その２）であり、図４で説明した枠連結機構３０により、上下のコンクリート枠１０、１０同士を連結する。
図７は図６の７部拡大図であり、ボルト３５に、アンカー金物４０の先端を嵌めナット４１を締付ける。後に、ブリッジ金具３３とアンカー金物４０とナット４１とは溶接金属４２・・・で完全に固定する。
【００２５】
図８は図６の８部拡大図であり、コンクリートベース３７中の鉄筋４３にＵ字金具４４を逆Ｕの状態で溶接で固定し、このようなＵ字金具４４にアンカー金物４０の下端を溶接で固定する。
図６に戻って、大小のアンカー金物４０、４５、４６の取付けが終わったら木製支柱３８、３９は撤去する。
【００２６】
図９は本発明に係るコンクリート打ちの説明図（その３）であり、生コンクリート２７を流し込むことで、コンクリート打ちが完了する。
図１０は本発明に係るコンクリート打ちの完了図であり、コンクリートベース３７に、コンクリート枠２枚分の高さのコンクリート壁４７を継ぎ足すことができたことを示す。そして、コンクリート枠１０、１０のおもて面は平坦面であるため、全体の外観性が高まる。
【００２７】
図１１は図１の別実施例図であり、コンクリート枠１０Ｂは、コンクリート製パネル１１のおもて面を平滑面とし、裏に４条のＴ字溝２０・・・を備えたことを特徴とする。Ｔ字溝２０は、頭部２１とこの頭部２１の中心から延ばした首部２２とかなり、この首部２２は頭部２１に向かって先細りとしたことは、最初の実施例と同一である。
【００２８】
なお、パネル１１のおもて面は、平滑面のほか、格子模様やしぼ模様、タイル貼りなど好みの形態にすることができる。
【００２９】
図１２（ａ）〜（ｆ）は本発明に係るＴ字溝及び摺動金具の変更例を示す図である。
（ａ）のＴ字溝２０Ａは、蟻溝型頭部２１Ａと、この頭部２１Ａに向かって先細りとなる首部２２Ａとからなる。
（ｂ）は前記蟻溝型頭部２１Ａに嵌合する台形型摺動金具３２Ｂを示す。４８は雌ねじ部であり、ボルトをねじ込むことができる。
【００３０】
（ｃ）のＴ字溝２０Ｃは、横長楕円型頭部２１Ｃと、この頭部２１Ｃに向かって先細りとなる首部２２Ｃとからなる。
（ｄ）は横長楕円型頭部２１Ｃに嵌合する楕円型摺動金具３２Ｄを示す。４８は雌ねじ部である。
【００３１】
（ｅ）のＴ字溝２０Ｅは、横長矩形型頭部２１Ｅと、この頭部２１Ｅに向かって先細りとなる首部２２Ｅとからなる。
（ｆ）は横長矩形型頭部２１Ｅに嵌合する矩形型摺動金具３２Ｆを示す。４８は雌ねじ部である。
このように、Ｔ字溝の頭部２１Ａ、２１Ｃ、２１Ｅは任意の形状に定めることができる。
【００３２】
図１３（ａ）〜（ｃ）は摺動金具の更なる変更図である。
（ａ）の摺動金具５１Ａは平鋼板５２にソケット５３を立て、このソケット５３に雌ねじ部４８を備える。図４で説明したハット型の摺動金具３２よりは単純であり、低コスト化が達成できる。
（ｂ）の摺動金具５１Ｂは平鋼板５２に雌ねじ部４８を備える。（ａ）よりも単純であり、一層の低コスト化が達成できる。
【００３３】
（ｃ）の摺動金具５１Ｃは平鋼板５２にボルト５４を備える。図４で説明したハット型の摺動金具３２よりは単純であり、低コスト化が達成できる。
このように、摺動金具は任意の形状に定めることができる。
【００３４】
尚、図５では、横置き下コンクリート枠１０、１０同士を予め枠連結金具３０で連結し、それから立てて木製支柱３８、３９で支えるようにても良い。
【００３５】
【発明の効果】
本発明は上記構成により次の効果を発揮する。
請求項１は、残存コンクリート枠の裏にＴ字溝を備え、このＴ字溝を頭部とこの頭部の中心から延ばした首部とから構成し、且つ首部は頭部に向かって先細りとなるように一対の傾斜面で構成したことを特徴とする。
【００３６】
首部が頭部に向かって先細になる形状であれば、生コンクリートは首部を構成する傾斜面に空気層を介することなく密着する。頭部の隅には空気層が残るものの、頭部のほとんど、及び首部の全てにコンクリートが接着する。その結果、接着長さが十分に大きくなり、コンクリート枠とコンクリート塊との接着力を高めることができる。
【図面の簡単な説明】
【図１】本発明に係るコンクリート枠の断面図
【図２】本発明に係るＴ字溝の拡大断面図
【図３】本発明に係るＴ字溝の作用説明図
【図４】本発明のコンクリート枠同士を連結する枠連結機構の分解斜視図
【図５】本発明に係るコンクリート打ちの説明図（その１）
【図６】本発明に係るコンクリート打ちの説明図（その２）
【図７】図６の７部拡大図
【図８】図６の８部拡大図
【図９】本発明に係るコンクリート打ちの説明図（その３）
【図１０】本発明に係るコンクリート打ちの完了図
【図１１】図１の別実施例図
【図１２】本発明に係るＴ字溝及び摺動金具の変更例を示す図
【図１３】摺動金具の更なる変更図
【図１４】特許文献１の図６（下半部）の再掲図
【図１５】従来のコンクリート枠に採用された蟻溝の拡大断面図
【図１６】従来の蟻溝の課題を説明する図
【符号の説明】
１０、１０Ｂ…コンクリート枠、１１…パネル、２０、２０Ａ、２０Ｃ、２０Ｅ…Ｔ字溝、２１、２１Ａ、２１Ｃ、２１Ｅ…頭部、２２、２２Ａ、２２Ｃ、２２Ｅ…首部、２３、２４…傾斜面、２５…溝底面、４０、４５、４６…アンカー金物。
【図１】
2004308335.tif 000003
【図２】
2004308335.tif 000004
【図３】
2004308335.tif 000005
【図４】
2004308335.tif 000006
【図５】
2004308335.tif 000007
【図６】
2004308335.tif 000008
【図７】
2004308335.tif 000009
【図８】
2004308335.tif 000010
【図９】
2004308335.tif 000011
【図１０】
2004308335.tif 000012
【図１１】
2004308335.tif 000013
【図１２】
2004308335.tif 000014
【図１３】
2004308335.tif 000015
【図１４】
2004308335.tif 000016
【図１５】
2004308335.tif 000017
【図１６】
2004308335.tif 000018